(57)【特許請求の範囲】
【請求項１】
所定の間隔を隔てて配置された複数のパンチと、
前記複数のパンチが嵌合する複数のパンチ穴を有するダイと、
前記複数のパンチを回転及び軸方向に移動可能に支持する支持部材と、
前記支持部材に設けられた固定カム部材と、
前記支持部材に沿ってパンチの軸と直交する方向に移動可能な移動カム部材と、を有し、
前記固定カム部材には、少なくとも、パンチの軸と平行な方向に伸びる第１の垂直部と、パンチの軸に対して所定の角度を有し前記第１の垂直部からダイ側に向けてつながる第１の傾斜部と、を有し、前記第１の垂直部と前記第１の傾斜部に渡って等しい幅の第１のカム穴が、前記パンチに対応する位置に穿たれており、
前記移動カム部材には、少なくとも、パンチの軸に対して所定の角度を有し前記第１の傾斜部と反対側に向いた第２の傾斜部を有する、第２のカム穴が、所定の間隔を隔てて複数箇所に穿たれており、
前記複数のパンチは、前記第１のカム穴と前記第２のカム穴とを貫通するピンを有し、
前記ピンが前記第１の垂直部と前記第２の傾斜部とにより規制されている間は、前記パンチは前記移動カム部材の移動により前記ダイに向けて移動し、
前記ピンが前記第１の傾斜部と前記第２の傾斜部とにより規制されている間は、前記パンチは前記移動カム部材の移動により前記ダイに向けて移動し且つパンチ軸を中心に回転することを特徴とする穿孔装置。
【請求項２】
所定の間隔を隔てて配置された複数のパンチと、
前記複数のパンチが嵌合する複数のパンチ穴を有するダイと、
前記複数のパンチを回転及び軸方向に移動可能に支持する支持部材と、
前記支持部材に設けられた固定カム部材と、
前記支持部材に沿ってパンチの軸と直交する方向に移動可能な移動カム部材と、を有し、
前記固定カム部材には、少なくとも、パンチの軸と平行な方向に伸びる第１の垂直部と、パンチの軸に対して所定の角度を有し前記第１の垂直部からダイ側に向けてつながる第１の傾斜部と、を有する第１のカム穴が、前記パンチに対応する位置に穿たれており、
前記移動カム部材には、少なくとも、パンチの軸に対して所定の角度を有し前記第１の傾斜部と反対側に向いた第２の傾斜部を有する、第２のカム穴が、所定の間隔を隔てて複数箇所に穿たれており、
前記複数のパンチは、前記第１のカム穴と前記第２のカム穴とを貫通するピンを有し、
前記ピンが前記第１の垂直部と前記第２の傾斜部とにより規制されている間は、前記パンチは前記移動カム部材の移動により前記ダイに向けて移動し、
前記ピンが前記第１の傾斜部と前記第２の傾斜部とにより規制されている間は、前記パンチは前記移動カム部材の移動により前記ダイに向けて移動し且つパンチ軸を中心に回転し、
パンチの軸と平行な方向において、前記第１の垂直部のダイと反対側の端部と、前記第２の傾斜部のダイと反対側の端部と、が同位置にあり、前記第１の傾斜部のダイ側の端部と、前記第２の傾斜部のダイ側の端部と、が同位置にあることを特徴とする穿孔装置。
【請求項３】
所定の間隔を隔てて配置された複数のパンチと、
前記複数のパンチが嵌合する複数のパンチ穴を有するダイと、
前記複数のパンチを回転及び軸方向に移動可能に支持する支持部材と、
前記支持部材に設けられた固定カム部材と、
前記支持部材に沿ってパンチの軸と直交する方向に移動可能な移動カム部材と、を有し、
前記固定カム部材には、少なくとも、パンチの軸と平行な方向に伸びる第１の垂直部と、パンチの軸に対して所定の角度を有し前記第１の垂直部からダイ側に向けてつながる第１の傾斜部と、を有する第１のカム穴が、前記パンチに対応する位置に穿たれており、
前記移動カム部材には、少なくとも、パンチの軸に対して所定の角度を有し前記第１の傾斜部と反対側に向いた第２の傾斜部を有する、第２のカム穴が、所定の間隔を隔てて複数箇所に穿たれており、
前記複数のパンチは、前記第１のカム穴と前記第２のカム穴とを貫通するピンを有し、
前記ピンが前記第１の垂直部と前記第２の傾斜部とにより規制されている間は、前記パンチは前記移動カム部材の移動により前記ダイに向けて移動し、
前記ピンが前記第１の傾斜部と前記第２の傾斜部とにより規制されている間は、前記パンチは前記移動カム部材の移動により前記ダイに向けて移動し且つパンチ軸を中心に回転し、
前記第１の垂直部の中心線と前記第１の傾斜部の中心線との交点から前記パンチが嵌合するダイの表面までのパンチの軸と平行方向の距離をＬ１１とし、
前記ピンの軸中心から、パンチの切っ先までの長さをＬ２とし、
使用する最も厚い用紙の厚さをｄ２とし、
前記ピンの軸中心が前記交点に位置する時の、前記パンチの切っ先と、最も厚い用紙の表面と、の間隙である余裕をｄ３とすると、各寸法は、
Ｌ１１＝Ｌ２＋ｄ２＋ｄ３
の関係にあることを特徴とする穿孔装置。
【請求項４】
前記第１の垂直部の中心線と前記第１の傾斜部の中心線との交点から前記パンチが嵌合するダイの表面までのパンチの軸と平行方向の距離をＬ１１とし、
前記ピンの軸中心から、パンチの切っ先までの長さをＬ２とし、
使用する最も厚い用紙の厚さをｄ２とし、
前記ピンの軸中心が前記交点に位置する時の、前記パンチの切っ先と、最も厚い用紙の表面と、の間隙である余裕をｄ３とすると、各寸法は、
Ｌ１１＝Ｌ２＋ｄ２＋ｄ３
の関係にあることを特徴とする請求項２に記載の穿孔装置。
【請求項５】
所定の間隔を隔てて配置された複数のパンチと、
前記複数のパンチが嵌合する複数のパンチ穴を有するダイと、
前記複数のパンチを回転及び軸方向に移動可能に支持する支持部材と、
前記支持部材に設けられた固定カム部材と
前記支持部材に沿ってパンチの軸と直交する方向に移動可能な移動カム部材と、を有し、
前記固定カム部材には、パンチの軸と平行な方向に伸びる第２の垂直部と、パンチの軸に対して所定の角度を有し前記第２の垂直部からダイ側に向けてつながる第３の傾斜部と、前記第３の傾斜部からダイ側に向けてつながりパンチの軸と平行な方向に伸びる第３の垂直部と、を有する第３のカム穴が、前記パンチに対応する位置に穿たれており、
前記移動カム部材には、前記パンチの軸と直交する方向に伸びる第１の水平部と、パンチの軸に対して所定の角度を有し前記第１の水平部からダイ側に向けてつながり前記第３の傾斜部と反対側に向いた第４の傾斜部と、前記第４の傾斜部につながり前記パンチの軸と直交する方向に伸びる第２の水平部とを有する第４のカム穴が、所定の間隔を隔てて複数箇所に穿たれており、
前記複数のパンチは、前記第３のカム穴と前記第４のカム穴とを貫通するピンを有し、
前記ピンが、前記第１の水平部と前記第２の垂直部とにより規制されている間、又は前記第２の水平部と第３の垂直部により規制されている間は、前記複数のパンチが停止し、
前記ピンが前記第２の垂直部と前記第４の傾斜部とにより規制されている間は、前記パンチは前記移動カム部材の移動により前記ダイに向けて移動し、
前記ピンが前記第３の傾斜部と前記第４の傾斜部とにより規制されている間は、前記複数のパンチは前記移動カム部材の移動により前記ダイに向けて移動し且つパンチ軸を中心に回転することを特徴とする穿孔装置。
【請求項６】
パンチと平行な方向において、前記第２の垂直部のダイと反対側の端部と、前記第１の水平部のダイと反対側の端部とが同位置にあり、前記第３の垂直部のダイ側の端部と前記第２の水平部とが同位置にあることを特徴とする請求項５に記載の穿孔装置。
【請求項７】
前記第２の垂直部の中心線と前記第３の傾斜部の中心線との交点から前記パンチが嵌合するダイの表面までのパンチの軸と平行方向の距離をＬ１２とし、
前記ピンの軸中心から、パンチの切っ先までの長さをＬ２とし、
使用する最も厚い用紙の厚さをｄ２とし、
前記ピンの軸中心が前記交点に位置する時の、前記パンチの切っ先と、最も厚い用紙の表面と、の間隙である余裕をｄ３とすると、各寸法は、
Ｌ１２＝Ｌ２＋ｄ２＋ｄ３
の関係にあることを特徴とする請求項５又は６に記載の穿孔装置。
【請求項８】
４個のパンチと、該４個のパンチが嵌合する４個のパンチ穴を有するダイと、
前記４個のパンチを所定の間隔を隔てて回転及び軸方向に移動可能に支持する支持部材と、
前記支持部材に設けられた固定カム部材と、
前記支持部材に沿ってパンチの軸と直交する方向に移動可能な移動カム部材と、
を有し、
前記固定カム部材には、両端部側に、パンチの軸と平行な方向に伸びる第４の垂直部と、パンチの軸に対して所定の角度を有し前記第４の垂直部からダイ側に向けてつながる第５の傾斜部と、前記第５の傾斜部からダイ側に向けてつながりパンチの軸と平行な方向に伸びる第５の垂直部と、を有する第５のカム穴が、前記４個のパンチのうち外側に位置する２個のパンチに対応する位置に穿たれており、
中央側に、パンチの軸と平行な方向に伸びる第６の垂直部を有する第６のカム穴が、前記４個のパンチのうち中央側に位置する２個のパンチに対応する位置に穿たれており、
前記移動カム部材には、両端部側に、前記パンチの軸と直交する方向に伸びる第３の水平部と、前記第３の水平部につながりパンチの軸に対して所定の角度を有し前記第５の傾斜部と反対側に向いた第６の傾斜部と、前記第６の傾斜部のダイ側につながり前記パンチの軸と直交する方向に伸びる第４の水平部と、を有する第７のカム穴が、所定の間隔を隔てて２箇所に穿たれており、
中央側に、前記パンチの軸と直交する方向に伸びる第５の水平部と、パンチの軸に対して所定の角度を有し前記第５の水平部につながり前記第６の傾斜部と反対側に向いた第７の傾斜部と、前記第７の傾斜部につながり前記パンチの軸と直交する方向に伸びる第６の水平部と、パンチの軸に対して所定の角度を有し前記第６の水平部のダイ側に向けてつながり前記第７の傾斜部と反対側に向いた第８の傾斜部と、前記第８の傾斜部のダイ側につながり前記パンチの軸と直交する方向に伸びる第７の水平部と、を有する第８のカム穴が、所定の間隔を隔てて２箇所に穿たれており、
前記４個のパンチのうち、両端部側に位置する２個のパンチは前記第５のカム穴と前記第７のカム穴とを貫通するピンを有し、中央側に位置する２個のパンチは前記第６のカム穴と前記第８のカム穴とを貫通するピンを有し、
中央側の２個のピンが、それぞれ、前記第６の水平部又は第５の水平部又は第７の水平部と、第６の垂直部とにより規制されている間は停止し、中央側の２個のパンチは停止し、
両端側の２個のピンが、それぞれ、第３の水平部と第４の垂直部、又は第４の水平部と第５の垂直部により規制されている間は停止し、両端側の２個のパンチは停止し、
中央側に位置する２個のピンが、それぞれ、前記第７の傾斜部又は前記第８の傾斜部と、前記第６の垂直部とに規制されている間は、中央側に位置する２個のパンチが前記移動カム部材の移動により前記ダイに向けて移動し、
両端側に位置する２個のピンが、それぞれ、前記第４の垂直部と前記第６の傾斜部とに規制されている間は、両端側に位置する２個のパンチが前記移動カム部材の移動により前記ダイに向けて移動し、
両端側に位置する２個のピンが、それぞれ、前記第５の傾斜部と前記第６の傾斜部とに規制されている間は、両端側に位置する２個のパンチが前記移動カム部材の移動により回転しながらダイ側に向けて移動することを特徴とする穿孔装置。
【請求項９】
パンチと平行な方向において、前記第６の垂直部のダイと反対側の端部と、前記第４の垂直部のダイと反対側の端部と、前記第６の水平部と、前記第３の水平部とが、同位置にあり、
パンチと平行な方向において、前記第６の垂直部のダイ側の端部と、前記第５の垂直部のダイ側の端部と、前記第５の水平部と、前記第７の水平部と、前記第４の水平部とが、同位置にあることを特徴とする請求項８に記載の穿孔装置。
【請求項１０】
前記第７のカム穴の水平方向の全長と、前記第８のカム穴の水平方向の全長とは同じ寸法であることを特徴とする請求項８又は９に記載の穿孔装置。
【請求項１１】
２穴を穿孔する場合は、前記第７のカム穴の水平方向の全長の中央部と、前記第８のカム穴の水平方向の全長の中央部と、にそれぞれピンが位置している状態から、前記移動カム部材が一方に向けて移動し、中央側に位置する２個のパンチのみが作動し、
４穴を穿孔する場合は、前記第７のカム穴の水平方向の全長の中央部と、前記第８のカム穴の水平方向の全長の中央部と、にそれぞれピンが位置している状態から、前記移動カム部材が他方に向けて移動し、中央側に位置する２個のパンチと両端側に位置する２個のパンチとが作動することを特徴とする請求項８〜１０のいずれか１項に記載の穿孔装置。
【請求項１２】
前記第４の垂直部の中心線と前記第５の傾斜部の中心線との交点から前記パンチが嵌合するダイの表面までのパンチの軸と平行方向の距離をＬ１３とし、
両端側に位置する２個のパンチのピンの軸中心から、両端側に位置する２個のパンチの切っ先までの長さをＬ２とし、
使用する最も厚い用紙の厚さをｄ２とし、
両端側に位置する２個のパンチのピンの軸中心がそれぞれ対応する各交点に位置する時の、前記パンチの切っ先と、最も厚い用紙の表面と、の間隙である余裕をｄ３とすると、各寸法は、
Ｌ１３＝Ｌ２＋ｄ２＋ｄ３
の関係にあることを特徴とする請求項８又は９に記載の穿孔装置。
【請求項１３】
前記移動カム部材を前記パンチの軸と直交する方向に移動可能な移動部を有することを特徴とする請求項１〜１２のいずれか１項に記載の穿孔装置。
【請求項１４】
前記パンチの刃先部は内側に凹んだ逃げ部を有し、前記パンチの刃先部の凸部が前記パンチの切っ先を形成していることを特徴とする請求項１〜１３のいずれか１項に記載の穿孔装置。
【請求項１５】
前記移動カム部材は平板状をしていることを特徴とする請求項１〜１４のいずれか１項に記載の穿孔装置。
【請求項１６】
請求項１〜１５のいずれか１項に記載の穿孔装置を備えたことを特徴とする後処理装置。
【請求項１７】
用紙に画像を形成する画像形成装置と、該画像形成装置により画像が形成された用紙に対して後処理を施す請求項１６に記載の後処理装置と、を有することを特徴とする画像形成システム。
【発明の詳細な説明】
【技術分野】
【０００１】
穿孔装置と該穿孔装置を有する後処理装置と該後処理装置を有する画像形成システムに関する。
【背景技術】
【０００２】
パンチと、ダイと、カム穴が穿たれ水平方向に移動可能な移動カム板と、を有し、
該パンチにはカム穴を貫通しパンチを軸方向に付勢するピンが固定され、
移動カムの移動によりカム穴を介してパンチを下降させて用紙にパンチ穴を空ける穿孔装置が知られている（例えば特許文献１参照）。
【０００３】
しかし、特許文献１に記載された穿孔装置は、構造は簡素であるが、穿孔中の負荷が重く、穿孔完了時に負荷が激減するため衝撃的な騒音を発生してしまうという問題点があった。
【０００４】
また、事務の合理化に伴い、画像形成装置に穿孔処理等を可能とする後処理装置を連結した画像形成システムの導入要望が顧客から増加している。このような画像形成システムはオフィスに配置されることも多く、静粛なオフィスにおいては穿孔装置から発生する前記の騒音がオフィス環境を低下させてしまうという問題点があった。
【０００５】
この騒音を発生するという問題を解決するものとして、パンチを回転しながら下降させ用紙にパンチ穴を空ける穿孔装置が知られている（例えば特許文献２参照）。
【先行技術文献】
【特許文献】
【０００６】
【特許文献１】特開２０００−９７９１号公報
【特許文献２】特開２００９−１４２９１１号公報
【発明の概要】
【発明が解決しようとする課題】
【０００７】
特許文献１に記載された穿孔装置は騒音を発生してしまうという問題点があった。
【０００８】
特許文献２に記載された穿孔装置は、パンチを回転させることにより前述した騒音を出さずに済むという利点はあるが、パンチにピニオンギヤを設けパンチの回転機構とし、パンチに山形状のカム溝を有する円柱状の回転カムを設けパンチの上下機構とし、前記ピニオンギヤに噛み合うラックギヤによりピニオンギヤを回転させ、ピニオンギヤによりパンチを回転させ、且つ前記カム溝を付勢する外部に固定されたピンにより山形状のカム溝を付勢しパンチを上下させている。
【０００９】
このように、パンチの回転機構と、パンチの上下機構とが必要なことから、特にパンチ周辺の構造が複雑になってしまい、また、用紙の穿孔中以外でもパンチを回転させているため、山形状のカム溝の傾斜部のうち一部でしか用紙の穿孔に寄与できなかった。
【００１０】
パンチ周辺の構造が複雑であるために、パンチの刃先の摩耗等によるパンチ交換の際には交換作業が複雑となり、修理による生産性低下を招いてしまう可能性があるという問題点があり、傾斜部のうち一部でしか用紙の穿孔に寄与できないためパンチの回転を僅かしか行えず安定して穿孔できない可能性があるという問題点があった。
【００１１】
本発明は上記問題点に鑑み、騒音を出さずに、安定して穿孔可能な、簡単な構造の穿孔装置を提供することを目的とする。
【課題を解決するための手段】
【００１２】
上記目的は、下記の構成によって達成される。
【００１３】
１．所定の間隔を隔てて配置された複数のパンチと、
前記複数のパンチが嵌合する複数のパンチ穴を有するダイと、
前記複数のパンチを回転及び軸方向に移動可能に支持する支持部材と、
前記支持部材に設けられた固定カム部材と、
前記支持部材に沿ってパンチの軸と直交する方向に移動可能な移動カム部材と、を有し、
前記固定カム部材には、少なくとも、パンチの軸と平行な方向に伸びる第１の垂直部と、パンチの軸に対して所定の角度を有し前記第１の垂直部からダイ側に向けてつながる第１の傾斜部と、を有し、前記第１の垂直部と前記第１の傾斜部に渡って等しい幅の第１のカム穴が、前記パンチに対応する位置に穿たれており、
前記移動カム部材には、少なくとも、パンチの軸に対して所定の角度を有し前記第１の傾斜部と反対側に向いた第２の傾斜部を有する、第２のカム穴が、所定の間隔を隔てて複数箇所に穿たれており、
前記複数のパンチは、前記第１のカム穴と前記第２のカム穴とを貫通するピンを有し、
前記ピンが前記第１の垂直部と前記第２の傾斜部とにより規制されている間は、前記パンチは前記移動カム部材の移動により前記ダイに向けて移動し、
前記ピンが前記第１の傾斜部と前記第２の傾斜部とにより規制されている間は、前記パンチは前記移動カム部材の移動により前記ダイに向けて移動し且つパンチ軸を中心に回転することを特徴とする穿孔装置。
【００１４】
２．所定の間隔を隔てて配置された複数のパンチと、
前記複数のパンチが嵌合する複数のパンチ穴を有するダイと、
前記複数のパンチを回転及び軸方向に移動可能に支持する支持部材と、
前記支持部材に設けられた固定カム部材と、
前記支持部材に沿ってパンチの軸と直交する方向に移動可能な移動カム部材と、を有し、
前記固定カム部材には、少なくとも、パンチの軸と平行な方向に伸びる第１の垂直部と、パンチの軸に対して所定の角度を有し前記第１の垂直部からダイ側に向けてつながる第１の傾斜部と、を有する第１のカム穴が、前記パンチに対応する位置に穿たれており、
前記移動カム部材には、少なくとも、パンチの軸に対して所定の角度を有し前記第１の傾斜部と反対側に向いた第２の傾斜部を有する、第２のカム穴が、所定の間隔を隔てて複数箇所に穿たれており、
前記複数のパンチは、前記第１のカム穴と前記第２のカム穴とを貫通するピンを有し、
前記ピンが前記第１の垂直部と前記第２の傾斜部とにより規制されている間は、前記パンチは前記移動カム部材の移動により前記ダイに向けて移動し、
前記ピンが前記第１の傾斜部と前記第２の傾斜部とにより規制されている間は、前記パンチは前記移動カム部材の移動により前記ダイに向けて移動し且つパンチ軸を中心に回転し、
パンチの軸と平行な方向において、前記第１の垂直部のダイと反対側の端部と、前記第２の傾斜部のダイと反対側の端部と、が同位置にあり、前記第１の傾斜部のダイ側の端部と、前記第２の傾斜部のダイ側の端部と、が同位置にあることを特徴とする穿孔装置。
【００１５】
３．所定の間隔を隔てて配置された複数のパンチと、
前記複数のパンチが嵌合する複数のパンチ穴を有するダイと、
前記複数のパンチを回転及び軸方向に移動可能に支持する支持部材と、
前記支持部材に設けられた固定カム部材と、
前記支持部材に沿ってパンチの軸と直交する方向に移動可能な移動カム部材と、を有し、
前記固定カム部材には、少なくとも、パンチの軸と平行な方向に伸びる第１の垂直部と、パンチの軸に対して所定の角度を有し前記第１の垂直部からダイ側に向けてつながる第１の傾斜部と、を有する第１のカム穴が、前記パンチに対応する位置に穿たれており、
前記移動カム部材には、少なくとも、パンチの軸に対して所定の角度を有し前記第１の傾斜部と反対側に向いた第２の傾斜部を有する、第２のカム穴が、所定の間隔を隔てて複数箇所に穿たれており、
前記複数のパンチは、前記第１のカム穴と前記第２のカム穴とを貫通するピンを有し、
前記ピンが前記第１の垂直部と前記第２の傾斜部とにより規制されている間は、前記パンチは前記移動カム部材の移動により前記ダイに向けて移動し、
前記ピンが前記第１の傾斜部と前記第２の傾斜部とにより規制されている間は、前記パンチは前記移動カム部材の移動により前記ダイに向けて移動し且つパンチ軸を中心に回転し、
前記第１の垂直部の中心線と前記第１の傾斜部の中心線との交点から前記パンチが嵌合するダイの表面までのパンチの軸と平行方向の距離をＬ１１とし、
前記ピンの軸中心から、パンチの切っ先までの長さをＬ２とし、
使用する最も厚い用紙の厚さをｄ２とし、
前記ピンの軸中心が前記交点に位置する時の、前記パンチの切っ先と、最も厚い用紙の表面と、の間隙である余裕をｄ３とすると、各寸法は、
Ｌ１１＝Ｌ２＋ｄ２＋ｄ３
の関係にあることを特徴とする穿孔装置。
４．前記第１の垂直部の中心線と前記第１の傾斜部の中心線との交点から前記パンチが嵌合するダイの表面までのパンチの軸と平行方向の距離をＬ１１とし、
前記ピンの軸中心から、パンチの切っ先までの長さをＬ２とし、
使用する最も厚い用紙の厚さをｄ２とし、
前記ピンの軸中心が前記交点に位置する時の、前記パンチの切っ先と、最も厚い用紙の表面と、の間隙である余裕をｄ３とすると、各寸法は、
Ｌ１１＝Ｌ２＋ｄ２＋ｄ３
の関係にあることを特徴とする前記２に記載の穿孔装置。
【００１６】
５．所定の間隔を隔てて配置された複数のパンチと、
前記複数のパンチが嵌合する複数のパンチ穴を有するダイと、
前記複数のパンチを回転及び軸方向に移動可能に支持する支持部材と、
前記支持部材に設けられた固定カム部材と
前記支持部材に沿ってパンチの軸と直交する方向に移動可能な移動カム部材と、を有し、
前記固定カム部材には、パンチの軸と平行な方向に伸びる第２の垂直部と、パンチの軸に対して所定の角度を有し前記第２の垂直部からダイ側に向けてつながる第３の傾斜部と、前記第３の傾斜部からダイ側に向けてつながりパンチの軸と平行な方向に伸びる第３の垂直部と、を有する第３のカム穴が、前記パンチに対応する位置に穿たれており、
前記移動カム部材には、前記パンチの軸と直交する方向に伸びる第１の水平部と、パンチの軸に対して所定の角度を有し前記第１の水平部からダイ側に向けてつながり前記第３の傾斜部と反対側に向いた第４の傾斜部と、前記第４の傾斜部につながり前記パンチの軸と直交する方向に伸びる第２の水平部とを有する第４のカム穴が、所定の間隔を隔てて複数箇所に穿たれており、
前記複数のパンチは、前記第３のカム穴と前記第４のカム穴とを貫通するピンを有し、
前記ピンが、前記第１の水平部と前記第２の垂直部とにより規制されている間、又は前記第２の水平部と第３の垂直部により規制されている間は、前記複数のパンチが停止し、
前記ピンが前記第２の垂直部と前記第４の傾斜部とにより規制されている間は、前記パンチは前記移動カム部材の移動により前記ダイに向けて移動し、
前記ピンが前記第３の傾斜部と前記第４の傾斜部とにより規制されている間は、前記複数のパンチは前記移動カム部材の移動により前記ダイに向けて移動し且つパンチ軸を中心に回転することを特徴とする穿孔装置。
【００１７】
６．パンチと平行な方向において、前記第２の垂直部のダイと反対側の端部と、前記第１の水平部のダイと反対側の端部とが同位置にあり、前記第３の垂直部のダイ側の端部と前記第２の水平部とが同位置にあることを特徴とする前記５に記載の穿孔装置。
【００１８】
７．前記第２の垂直部の中心線と前記第３の傾斜部の中心線との交点から前記パンチが嵌合するダイの表面までのパンチの軸と平行方向の距離をＬ１２とし、
前記ピンの軸中心から、パンチの切っ先までの長さをＬ２とし、
使用する最も厚い用紙の厚さをｄ２とし、
前記ピンの軸中心が前記交点に位置する時の、前記パンチの切っ先と、最も厚い用紙の表面と、の間隙である余裕をｄ３とすると、各寸法は、
Ｌ１２＝Ｌ２＋ｄ２＋ｄ３
の関係にあることを特徴とする前記５又は６に記載の穿孔装置。
【００１９】
８．４個のパンチと、該４個のパンチが嵌合する４個のパンチ穴を有するダイと、
前記４個のパンチを所定の間隔を隔てて回転及び軸方向に移動可能に支持する支持部材と、
前記支持部材に設けられた固定カム部材と、
前記支持部材に沿ってパンチの軸と直交する方向に移動可能な移動カム部材と、
を有し、
前記固定カム部材には、両端部側に、パンチの軸と平行な方向に伸びる第４の垂直部と、パンチの軸に対して所定の角度を有し前記第４の垂直部からダイ側に向けてつながる第５の傾斜部と、前記第５の傾斜部からダイ側に向けてつながりパンチの軸と平行な方向に伸びる第５の垂直部と、を有する第５のカム穴が、前記４個のパンチのうち外側に位置する２個のパンチに対応する位置に穿たれており、
中央側に、パンチの軸と平行な方向に伸びる第６の垂直部を有する第６のカム穴が、前記４個のパンチのうち中央側に位置する２個のパンチに対応する位置に穿たれており、
前記移動カム部材には、両端部側に、前記パンチの軸と直交する方向に伸びる第３の水平部と、前記第３の水平部につながりパンチの軸に対して所定の角度を有し前記第５の傾斜部と反対側に向いた第６の傾斜部と、前記第６の傾斜部のダイ側につながり前記パンチの軸と直交する方向に伸びる第４の水平部と、を有する第７のカム穴が、所定の間隔を隔てて２箇所に穿たれており、
中央側に、前記パンチの軸と直交する方向に伸びる第５の水平部と、パンチの軸に対して所定の角度を有し前記第５の水平部につながり前記第６の傾斜部と反対側に向いた第７の傾斜部と、前記第７の傾斜部につながり前記パンチの軸と直交する方向に伸びる第６の水平部と、パンチの軸に対して所定の角度を有し前記第６の水平部のダイ側に向けてつながり前記第７の傾斜部と反対側に向いた第８の傾斜部と、前記第８の傾斜部のダイ側につながり前記パンチの軸と直交する方向に伸びる第７の水平部と、を有する第８のカム穴が、所定の間隔を隔てて２箇所に穿たれており、
前記４個のパンチのうち、両端部側に位置する２個のパンチは前記第５のカム穴と前記第７のカム穴とを貫通するピンを有し、中央側に位置する２個のパンチは前記第６のカム穴と前記第８のカム穴とを貫通するピンを有し、
中央側の２個のピンが、それぞれ、前記第６の水平部又は第５の水平部又は第７の水平部と、第６の垂直部とにより規制されている間は停止し、中央側の２個のパンチは停止し、
両端側の２個のピンが、それぞれ、第３の水平部と第４の垂直部、又は第４の水平部と第５の垂直部により規制されている間は停止し、両端側の２個のパンチは停止し、
中央側に位置する２個のピンが、それぞれ、前記第７の傾斜部又は前記第８の傾斜部と、前記第６の垂直部とに規制されている間は、中央側に位置する２個のパンチが前記移動カム部材の移動により前記ダイに向けて移動し、
両端側に位置する２個のピンが、それぞれ、前記第４の垂直部と前記第６の傾斜部とに規制されている間は、両端側に位置する２個のパンチが前記移動カム部材の移動により前記ダイに向けて移動し、
両端側に位置する２個のピンが、それぞれ、前記第５の傾斜部と前記第６の傾斜部とに規制されている間は、両端側に位置する２個のパンチが前記移動カム部材の移動により回転しながらダイ側に向けて移動することを特徴とする穿孔装置。
【００２０】
９．パンチと平行な方向において、前記第６の垂直部のダイと反対側の端部と、前記第４の垂直部のダイと反対側の端部と、前記第６の水平部と、前記第３の水平部とが、同位置にあり、
パンチと平行な方向において、前記第６の垂直部のダイ側の端部と、前記第５の垂直部のダイ側の端部と、前記第５の水平部と、前記第７の水平部と、前記第４の水平部とが、同位置にあることを特徴とする前記８に記載の穿孔装置。
【００２１】
１０．前記第７のカム穴の水平方向の全長と、前記第８のカム穴の水平方向の全長とは同じ寸法であることを特徴とする前記８又は９に記載の穿孔装置。
【００２２】
１１．２穴を穿孔する場合は、前記第７のカム穴の水平方向の全長の中央部と、前記第８のカム穴の水平方向の全長の中央部と、にそれぞれピンが位置している状態から、前記移動カム部材が一方に向けて移動し、中央側に位置する２個のパンチのみが作動し、
４穴を穿孔する場合は、前記第７のカム穴の水平方向の全長の中央部と、前記第８のカム穴の水平方向の全長の中央部と、にそれぞれピンが位置している状態から、前記移動カム部材が他方に向けて移動し、中央側に位置する２個のパンチと両端側に位置する２個のパンチとが作動することを特徴とする前記８〜１０のいずれか１項に記載の穿孔装置。
【００２３】
１２．前記第４の垂直部の中心線と前記第５の傾斜部の中心線との交点から前記パンチが嵌合するダイの表面までのパンチの軸と平行方向の距離をＬ１３とし、
両端側に位置する２個のパンチのピンの軸中心から、両端側に位置する２個のパンチの切っ先までの長さをＬ２とし、
使用する最も厚い用紙の厚さをｄ２とし、
両端側に位置する２個のパンチのピンの軸中心がそれぞれ対応する各交点に位置する時の、前記パンチの切っ先と、最も厚い用紙の表面と、の間隙である余裕をｄ３とすると、各寸法は、
Ｌ１３＝Ｌ２＋ｄ２＋ｄ３
の関係にあることを特徴とする前記８又は９に記載の穿孔装置。
【００２４】
１３．前記移動カム部材を前記パンチの軸と直交する方向に移動可能な移動部を有することを特徴とする前記１〜１２のいずれか１項に記載の穿孔装置。
【００２５】
１４．前記パンチの刃先部は内側に凹んだ逃げ部を有し、前記パンチの刃先部の凸部が前記パンチの切っ先を形成していることを特徴とする前記１〜１３のいずれか１項に記載の穿孔装置。
【００２６】
１５．前記移動カム部材は平板状をしていることを特徴とする前記１〜１４のいずれか１項に記載の穿孔装置。
【００２７】
１６．前記１〜１５のいずれか１項に記載の穿孔装置を備えたことを特徴とする後処理装置。
【００２８】
１７．用紙に画像を形成する画像形成装置と、該画像形成装置により画像が形成された用紙に対して後処理を施す前記１６に記載の後処理装置と、を有することを特徴とする画像形成システム。
【発明の効果】
【００２９】
上記発明により、パンチを付勢するカムの傾斜部の略全域を用紙の穿孔に寄与させることにより安定して穿孔可能とし、且つ、騒音を出さない簡単な構造の穿孔装置と、該穿孔装置を有する後処理装置と、該後処理装置を有する画像形成システムの提供が可能となる。
【図面の簡単な説明】
【００３０】
【図１】画像形成装置と後処理装置とを有する画像形成システムの説明図である。
【図２】画像形成装置の一例を示す説明図である。
【図３】穿孔装置を有する後処理装置の説明図である。
【図４】第１の実施形態の穿孔ユニットの説明図である。
【図５】第２の実施形態の穿孔ユニットの説明図である。
【図６】第２の実施形態の穿孔ユニットの動作説明図である。
【図７】パンチとカム穴に関する詳細説明図である。
【図８】２個のパンチ穴を穿孔する穿孔装置の説明図である。
【図９】２個又は４個のパンチ穴を穿孔する穿孔装置の説明図である。
【図１０】第３の穿孔ユニット３に係るカム穴の説明図である。
【図１１】第４の穿孔ユニット４に係るカム穴の説明図である。
【発明を実施するための形態】
【００３１】
各構成の説明の前に文言の説明をする。以下の説明において、垂直方向とはパンチの軸に対して平行方向を指し、垂直方向のうち上とはパンチがダイから遠ざかる向きを指し、下とはパンチがダイに近づく向きを指す。
【００３２】
又、水平方向とはパンチの軸に対して直交方向を指し、水平方向の一方は左、他方を右と称する。
【００３３】
また、上流とは用紙が搬送されてくる方向を指し、下流とは用紙が搬送されていく方向を指す。
【００３４】
また、パンチの待機位置とは、穿孔処理において穿孔動作に入る前のパンチの基準となる退避位置を指す。
【００３５】
図１は、画像形成装置と後処理装置とを有する画像形成システムの説明図である。
【００３６】
画像形成システムＡは画像形成装置Ｂと後処理装置Ｃとを有し、画像形成装置Ｂで用紙Ｐに画像形成が行われ、後処理装置Ｃで用紙Ｐにパンチ穴をあける穿孔等、画像形成装置Ｂで設定された後処理が行われる。
【００３７】
電子写真方式の画像形成装置Ｂは原稿画像を読み取る原稿画像読取部Ｂ１と、原稿画像読取部Ｂ１により読み取った原稿画像情報等に基づいて画像形成を行う画像形成部Ｂ２と、用紙Ｐを画像形成部Ｂ２に供給する給紙部Ｂ３と、トナー画像を定着する定着部Ｂ４と、表示手段と操作スイッチ類を有する操作パネルＳＰと、これらを制御する主制御部Ｄ１とを有している。
【００３８】
そして、原稿Ｓを搬送する自動原稿搬送装置Ｅが画像形成装置Ｂの上部に取り付けられ、原稿Ｓを原稿画像読取部Ｂ１に向けて搬送する。
【００３９】
後処理装置Ｃは、用紙Ｐにパンチ穴をあける穿孔部を有するものであれば良いが、例えば、用紙Ｐにパンチを行う穿孔部である穿孔装置Ｃ１と、用紙の束にステイプル処理を行うステイプル部Ｃ２と、用紙の束を折り曲げる折り部Ｃ３と、用紙を一時的に集積するスタッカＣ４と、用紙Ｐを幅方向にシフトするシフト部Ｃ５と、これらを制御する後処理制御部Ｄ２と、を有している。
【００４０】
また、画像形成装置Ｂは他の装置例えば後処理装置Ｃと通信を行う通信手段Ｔ１を有し、後処理装置Ｃは他の装置例えば画像形成装置Ｂと通信を行う通信手段Ｔ２を有している。
【００４１】
そして、画像形成装置Ｂの主制御部Ｄ１と後処理装置Ｃの後処理制御部Ｄ２とはそれぞれ通信手段Ｔ１と通信手段Ｔ２とを介して各種情報の授受を行っている。
【００４２】
画像形成装置Ｂの操作パネルＳＰで設定された後処理に係る情報（例えば穿孔処理）が通信手段Ｔ２を介して後処理装置Ｃの通信手段Ｔ１に送信され、後処理装置Ｃは送信された前記後処理に係る情報に基づいて後処理（例えば穿孔処理）を行う。
【００４３】
図２は、画像形成装置の一例を示す説明図である。
【００４４】
画像形成装置Ｂの一例として以下タンデム型フルカラー複写機と称せられる画像形成装置を例に取り説明する。
【００４５】
自動原稿搬送装置Ｅは、複数のローラ対により給紙皿Ｅ１に積載された原稿Ｓを１枚づつ給送し、原稿読み取り領域Ｒに搬送し、原稿読み取り領域Ｒで画像が読み込まれた原稿Ｓを排紙皿Ｅ２に排紙する。
【００４６】
原稿画像読取部Ｂ１は、光源Ｂ１１及び、原稿画像読取部Ｂ１上に裁置された原稿Ｓに沿って移動可能な走査ユニットＢ１２と、原稿画像をラインイメージセンサＢ１３に結像する光学系Ｂ１４とを有し、
例えば静止光学系型読取動作の場合は、走査ユニットＢ１２を固定して、自動原稿搬送装置Ｄにより搬送される原稿Ｓの画像を原稿読み取り領域Ｒで読み取る。
【００４７】
ラインイメージセンサＢ１３により光電変換された原稿画像のアナログ信号は、図示しない画像処理部において、アナログ処理、Ａ／Ｄ変換、シェーディング補正、画像圧縮処理等が行われ、Ｙ（イエロー）、Ｍ（マゼンタ）、Ｃ（シアン）、Ｋ（黒）各色毎のデジタル画像データとなる。
【００４８】
画像形成部Ｂ２は、Ｙ、Ｍ、Ｃ、Ｋの各色に対応する第１の像担持体としてのドラム状の感光体Ｂ２１（２１Ｙ、２１Ｍ、２１Ｃ、２１Ｋ）と、感光体Ｂ２１表面に各色のデジタル画像データに基づく潜像を形成する露光部Ｂ２２（２２Ｙ、２２Ｍ、２２Ｃ、２２Ｋ）と、各色に対応する潜像をトナーで現像する現像部Ｂ２３（２３Ｙ、２３Ｍ、２３Ｃ、２３Ｋ）と、感光体Ｂ２１を一様に帯電する帯電部Ｂ２４（２４Ｙ、２４Ｍ、２４Ｃ、２４Ｋ）と、転写されずに残留したトナーを感光体１から除去するクリーニング部Ｂ２５（２５Ｙ、２５Ｍ、２５Ｃ、２５Ｋ）と、を有している。
【００４９】
露光部Ｂ２２で各色毎のデジタル画像データに基づく潜像が形成され、潜像は現像部Ｂ２３で各色のトナー像として現像される。
【００５０】
ローラＢ２６１、Ｂ２６２、Ｂ２６３、Ｂ２６４により回動可能に張架された半導電性エンドレスベルト状の中間転写体Ｂ２６が各感光体Ｂ２１（２１Ｙ、２１Ｍ、２１Ｃ、２１Ｋ）に対向して配置され、中間転写体Ｂ２６は不図示の駆動装置によりローラＢ２６３を介して矢印方向に駆動されている。
【００５１】
各感光体Ｂ２１に担持された各色のトナー像は、１次転写ローラＢ２７（２７Ｙ、２７Ｍ、２７Ｃ、２７Ｋ）の押圧により中間転写体Ｂ２６に順次転写されて、中間転写体Ｂ２６に合成されたカラー画像が形成される。
【００５２】
給紙部Ｂ３は複数の給紙カセットＢ３１を有し、給紙カセットＢ３１の内部には用紙Ｐが収容されている。
【００５３】
収納された用紙Ｐは給紙ローラＢ３２により１枚づつピックアップされ、複数の搬送ローラＢ３３及びレジストローラＢ３４を経て、転写領域Ｂ３５まで搬送され、２次転写ローラＢ３６により中間転写体上の合成されたトナー画像が用紙Ｐ上に一括転写される。
【００５４】
なお、転写されずに中間転写体Ｂ２６に残留したトナーはクリーニング部Ｂ２８により除去される。
【００５５】
カラー画像が転写された用紙はローラＢ２６４により中間転写体Ｂ２６から曲率分離され、加熱源Ｈを内蔵する加熱ローラＢ４１と、圧着ローラＢ４２と、を有する定着部Ｂ４により定着処理される。
【００５６】
そして、トナー画像が定着された用紙は排紙ローラＢ３７に挟持されて、排出口Ｂ３８から下流工程の後処理装置Ｃに供給される。
【００５７】
操作パネルＳＰはタッチパネルと各種操作スイッチ等を有し、主制御部Ｄ１は操作パネルＳＰのタッチパネルに後処理に係る情報を表示させ、タッチパネルで設定または選択された後処理に係る情報を通信手段Ｔ１を介して後処理装置Ｃの通信手段Ｔ２に送信させる。
【００５８】
後処理に係る情報としては、例えば穿孔処理に関する情報で、穿孔有無情報、２穴処理情報、４穴処理情報等が挙げられる。
【００５９】
図３は、穿孔装置を有する後処理装置の説明図である。
【００６０】
以下に穿孔処理が可能な後処理装置の構成、動作について説明する。
【００６１】
後処理装置Ｃの上段には、冊子の表紙となるような用紙を供給する複数の給紙トレイ１０１と、画像形成装置Ｂから供給された用紙Ｐを集積する固定集積トレイ１０２、とが配置されている。
【００６２】
そして中段に、用紙Ｐにパンチ穴を空ける穿孔装置Ｃ１と、用紙Ｐを幅方向にシフトするシフト部Ｃ５と、パンチ穴を空けた用紙やステイプル処理済みの用紙束を排紙・積載する可動集積トレイ１０３と、が配置されている。
【００６３】
そして下段に、用紙Ｐの束をステイプル針で結束するステイプル部Ｃ２と、用紙Ｐ又は用紙束を折り曲げる折り部Ｃ３と、用紙を一時的にスタックするスタッカＣ４と、が傾斜面をなす同一平面状に配置されている。
【００６４】
また、三つ折り又は二つ折りに折り畳み処理された用紙束を積載する固定排紙トレイ１０４が配置されている。
【００６５】
以下後処理装置Ｃの動作について説明する。
【００６６】
画像形成装置Ｂから排紙された用紙Ｐは、受入口１００に送り込まれる。
【００６７】
そして、画像形成装置Ｂの操作パネルＳＰで穿孔処理が設定されている場合（穿孔有情報）は穿孔装置Ｃ１でパンチ穴があけられ、設定されていない場合は穿孔装置Ｃ１を通過する。
【００６８】
穿孔装置Ｃ１は、用紙Ｐにパンチ穴を穿孔する後述の穿孔装置本体Ｃ１１と穿孔装置本体Ｃ１１で穿孔されたパンチ屑を収容するパンチ屑受けＣ１１２を有している。
【００６９】
なお、穿孔装置本体Ｃ１１については後に詳しく説明する。
【００７０】
単に集積処理のみが設定されている場合は、切替ゲートＧ１により用紙Ｐは搬送路ａに送り込まれて固定集積トレイ１０２に集積される。
【００７１】
シフト処理が設定されている場合は、切替ゲートＧ１により用紙Ｐは搬送路ｂに送り込まれ、シフト部Ｃ５によりジョブ毎に幅方向にシフトされ、排紙ローラ１０５により可動集積トレイ１０３に集積される。
【００７２】
なお可動集積トレイ１０３は、集積された用紙最上面が排紙ローラ１０５の用紙排出位置に適合した位置に来るように、移動手段１０６により上下方向位置が調整されている。
【００７３】
ステイプル処理が設定されている場合は、切替ゲートＧ１により用紙Ｐは搬送路ｃに送り込まれ、スタッカＣ４で所定枚数がスタックされた後、ステイプル部Ｃ２でステイプル針を打ち込み、用紙を結束して冊子形態とする。
【００７４】
そして、可動ストッパＣ４５を上昇させることにより、冊子をスタッカＣ４の傾斜したスタック面Ｃ４１を上昇させて、排紙ローラ１０５により可動集積トレイ１０３に集積する。
【００７５】
また、折り処理が設定されている場合は、同様にしてスタッカＣ４で所定枚数をスタック後、折り部Ｃ３で用紙束を折り曲げ、折り曲げ後に固定排紙トレイ１０４に集積させる。
【００７６】
なおスタッカＣ４では、搬送ローラＣ４２、Ｃ４３、Ｃ４４により送り出された用紙ＰがスタッカＣ４の上方空間に排出される。排出後用紙Ｐはその自重により下降に転じ、スタック面Ｃ４１に沿って斜め下方に滑走し、可動ストッパＣ４５の用紙突き当て面Ｃ４５１に当接して停止する。
【００７７】
このようにして順次搬送された複数の用紙はスタッカＣ４のスタック面Ｃ４１上に積層されて用紙束を形成する。
【００７８】
またステイプル部Ｃ２は、打針機構Ｃ２１と受針機構Ｃ２２と、打針機構Ｃ２１と受針機構Ｃ２２とを駆動する不図示の駆動部と、を有している。そして、スタッカＣ４に所定枚数の用紙Ｐが集積されると該駆動部が作動し、可動ストッパＣ４５の下降位置に応じた位置、例えば用紙束の端部或いは中央に、ステイプルが打ち込まれてステイプル処理が行われる。
【００７９】
また、折り部Ｃ３は、用紙束を押圧して折り込む１対の折りローラＣ３１と、用紙束の背部を１対の折りローラＣ３１間に押し込む押し込み部材Ｃ３２と、押し込み部材Ｃ３２を折りローラＣ３１に向けて移動させ不図示の移動部を有している。
【００８０】
そして、スタックされた用紙束の中央部を折りローラＣ３１の間に押し込むことにより、用紙束の中央部は押圧を受けて折曲げられ、冊子状態となる。
【００８１】
後処理制御部Ｄ２は、前述した後処理装置全体の制御を行うと共に、通信手段Ｔ２を介して画像形成装置Ｃの通信手段Ｔ１から送信される後処理に係る情報等を受信する。
【００８２】
このようにして後処理が行われるが、以下に複数の形態の穿孔装置本体について説明する。
【００８３】
穿孔装置本体Ｃ１１は、用紙にパンチ穴を空けるパンチと、パンチが嵌合するダイと、パンチを上下方向に移動及び回転可能に支持する支持部材と、支持部材と一体的に形成された固定カム板と、水平方向に移動可能な移動カム板と、を有している。
【００８４】
移動カム板は、後述の駆動機構〔例えば駆動モータ、ピニオンギヤ、ラックギヤ〕により水平方向に位置を変えることができるようになっている。
【００８５】
そして、固定カム板と移動カム板とにはそれぞれカム穴が穿たれており、パンチには両者のカム穴を貫通するピンが固定されている。
【００８６】
そして、移動カム板が移動することにより、固定カム板のカム穴と移動カム板のカム穴に規制されたピンが連続して移動し、ピンの移動によりパンチを用紙に向けて付勢することで、用紙を穿孔するようになっている。
【００８７】
以下、１個のパンチ（ピンを含む）と、該パンチに対応するダイ穴と、固定カム板に穿たれた、前記パンチに対応するカム穴と、移動カム板に穿たれた、前記パンチに対応するカム穴と、の組み合わせを穿孔ユニットと称する。
【００８８】
以下に図を参照して、穿孔ユニットについて説明する。なお、図を見やすくするために断面でない部分にも一部ハッチングを施してある。
【００８９】
図４は、第１の実施形態の穿孔ユニットの説明図である。
【００９０】
図４（ａ）は第１の穿孔ユニットの正面図で、パンチが穿孔動作に入っていない待機位置に位置している状態を示し、図４（ｂ）は第１の穿孔ユニットを横から見た断面図（ＡＡ’部）である。
【００９１】
第１の穿孔ユニット１は、用紙にパンチ穴を空けるパンチＣ１３と、パンチＣ１３が嵌合するダイＣ１４と、パンチＣ１３を上下方向に移動、及び回転可能に支持する支持部材Ｃ１５と、支持部材Ｃ１５と一体的に形成された１枚の板状をした固定カム板１Ａと、支持部材Ｃ１５に形成されたガイド部材Ｃ１６により案内されて水平方向に移動可能な１枚の板状をした移動カム板１Ｂと、を有している。
【００９２】
移動カム板１Ｂは、後述の駆動機構（例えば駆動モータと、駆動モータの出力軸に設けられたピニオンギヤと、ピニオンギヤに噛み合うラックギヤと、ラックギヤが固定された移動カム板）により水平方向に移動可能となっている。
【００９３】
即ち固定カム板１Ａと移動カム板１Ｂは、水平方向に相対的な位置を変えることが可能となっている。
【００９４】
そして、固定カム板１ＡにはパンチＣ１３と対応する位置に第１のカム穴１１が穿たれており、移動カム板１Ｂには第２のカム穴１２が穿たれており、パンチＣ１３には第１のカム穴１１と第２のカム穴１２とを貫通するピンＣ１３１が固定されている。
【００９５】
これにより、ピンＣ１３１は第１のカム穴１１と第２のカム穴１２とにより規制されカム穴の中を移動するようになっている。
【００９６】
そして、固定カム板１Ａには、パンチＣ１３の軸と平行な方向に伸びる第１の垂直部１１１と、パンチＣ１３の軸に対して所定の角度を有し第１の垂直部１１１から斜め下方にダイ側に向けてつながる第１の傾斜部１１２と、を有する第１のカム穴１１が、パンチＣ１３に対応する位置に穿たれている。
【００９７】
そして、移動カム板１Ｂには、パンチＣ１３の軸に対して所定の角度を有し第１の傾斜部１１２と反対側に向いた斜め下方に伸びる第２の傾斜部１２１を有する第２のカム穴１２が、穿たれている。
【００９８】
そして、第１の傾斜部１１２と第２の傾斜部１２１とは反対に傾いており、カム穴の中心線が水平方向に対して角度θ例えば４５°をなし、移動カム板１Ｂの移動により両方の傾斜部が交叉可能となっている。
【００９９】
また、パンチＣ１３の軸と平行な方向において、第１の垂直部１１１のダイと反対側の端部と、第１の傾斜部１２１のダイと反対側の端部とが、同位置になっており、第１の傾斜部１２１のダイ側の端部と、第１の傾斜部１２１のダイ側の端部とが、同位置になっている。
【０１００】
以下、第１の穿孔ユニット１の動作について説明する。
【０１０１】
穿孔動作以前は、ピンＣ１３１は図示したように第１のカム穴１１と第２のカム穴１２との最上部（待機位置）に位置している。この時パンチＣ１３の先端部Ｃ１３２は、穿孔可能な最大厚さの用紙の表面Ｐ１より上側に位置し、第１の穿孔ユニット１への用紙進入を容易にしている。
【０１０２】
移動カム板１Ｂが矢印ｅ方向に移動することにより第２のカム穴１２が矢印ｅ方向へ移動し、ピンＣ１３１は第１の垂直部１１１と第２の傾斜部１２１とに規制されて下側に向けて付勢される。
【０１０３】
これにより、ピンＣ１３１は下降し、パンチＣ１３は下降する。
【０１０４】
更に移動カム板１Ｂが矢印ｅ方向へ移動すると第２のカム穴１２が更に矢印ｅ方向へ移動し、ピンＣ１３１は第１の傾斜部１１２と第２の傾斜部１２１とに規制され始めて斜め下側に向けて付勢される。
【０１０５】
これにより、ピンＣ１３１は下降すると共にパンチＣ１３の軸（以下「パンチ軸」と称する）を中心に旋回し、パンチＣ１３は下側に向けて移動しながら回転開始する。
【０１０６】
なお、ピンＣ１３１が第１の傾斜部１１２と第２の傾斜部１２１とに規制され始めた時点では、パンチＣ１３の先端部Ｃ１３２はダイＣ１４の上面と所定の距離を隔て位置しており、穿孔可能な最大厚さの用紙の表面Ｐ１に到達していない。
【０１０７】
ピンＣ１３１が第１の垂直部１１１から第１の傾斜部１１２に進入した点から、所定の余裕距離例えば０．５ｍｍ程度下降後に、パンチＣ１３の先端部Ｃ１３２が穿孔可能な最大厚さの用紙の表面Ｐ１に到達する。
【０１０８】
更に移動カム板１Ｂが矢印ｅ方向へ移動すると、ピンＣ１３１の第１の傾斜部１１２と第２の傾斜部１２１とによる規制により、パンチＣ１３は更に下側に向けて移動しながら回転を継続し用紙Ｐを貫通する。
【０１０９】
そして、ピンＣ１３１が第１の傾斜部１１２と第２の傾斜部１２１との最下部（下死点）に到達すると停止し、パンチＣ１３は停止する。
【０１１０】
用紙の穿孔完了後は移動カム板１Ｂを矢印ｅと反対方向に戻す逆の動作により、ピンＣ１３１は第１のカム穴１１と第２のカム穴１２との最上部に移動する。これにより、パンチＣ１３は待機位置に到達して停止し、第１の穿孔ユニット１による用紙の穿孔を完了する。
【０１１１】
以上説明したように、パンチを付勢するカムの傾斜部の略全域を用紙の穿孔に寄与させることにより安定して穿孔可能とし、且つ、騒音を出さない簡単な構造の穿孔ユニットの提供が可能となる。
【０１１２】
図５は、第２の実施形態の穿孔ユニットの説明図である。
【０１１３】
図５（ａ）は第２の穿孔ユニットの正面図で、パンチが待機位置に位置している状態を示し、図５（ｂ）は第２の穿孔ユニットを横から見た断面図（ＡＡ’部）である。
【０１１４】
第２の穿孔ユニット２について、前述の第１の穿孔ユニット１と異なる部分について説明する。なお、第一の実施形態の穿孔ユニットと同一の構成部分に関しては同一符号を付すことにより説明に換える。
【０１１５】
第２の穿孔ユニット２は、支持部材Ｃ１５と一体的に形成され、板状をした固定カム板２Ａと、固定カム板２Ａに形成されたガイド部材Ｃ１６により案内されて水平方向に移動可能な板状をした移動カム板２Ｂと、を有している。
【０１１６】
固定カム板２Ａと移動カム板２Ｂは、移動カム板２Ｂを移動させる後述の駆動機構により水平方向に相対的な位置を変えることが可能となっている。
【０１１７】
固定カム板２Ａには第３のカム穴１３が穿たれており、移動カム板２Ｂには第４のカム穴１４が穿たれており、パンチＣ１３には第３のカム穴１３と第４のカム穴１４とを貫通するピンＣ１３１が固定されている。
【０１１８】
これにより、ピンＣ１３１は第３のカム穴１３と第４のカム穴１４とにより規制され第３のカム穴１３の中を移動するようになっている。
【０１１９】
第３のカム穴１３には、パンチＣ１３の軸と平行な方向に伸びる第２の垂直部１３１（前述の第１の垂直部１１１に相当）と、パンチＣ１３の軸に対して所定の角度を有し第２の垂直部１３１からダイ側に向けてつながり斜め下方に伸びる第３の傾斜部１３２（前述の第１の傾斜部に相当）と、第３の傾斜部１３２からダイ側に向けてつながりパンチＣ１３の軸と平行な方向に伸びる第３の垂直部１３３とが、パンチＣ１３に対応する位置に穿たれている。
【０１２０】
そして、第４のカム穴１４には、パンチＣ１３の軸と直交する方向に伸びる第１の水平部１４１と、パンチＣ１３の軸に対して所定の角度を有し第１の水平部１４１からダイ側に向けてつながり第３の傾斜部１３２と反対側に向いた斜め下方に伸びる第４の傾斜部１４２（前述の第２の傾斜部１１２に相当）と、第４の傾斜部１４２につながりパンチＣ１３の軸と直交する方向に伸びる第２の水平部１４３とが穿たれている。
【０１２１】
第３の傾斜部１３２と第４の傾斜部１４２とは反対向きに傾いており、カム穴の中心線が水平方向に対して角度θ例えば４５°をなし、移動カム板１Ｂの移動により両方の傾斜部が交叉可能となっている。
【０１２２】
そして、パンチＣ１３の軸と平行な方向において、第２の垂直部１３１のダイと反対側の端部と、第１の水平部１４１とが、同位置になっており、第３の垂直部１３３のダイ側の端部と、第２の水平部１４３とが、同位置になっている。
【０１２３】
以下、図５及び６を参照して第２の穿孔ユニットの動作について説明する。
【０１２４】
図５において穿孔動作以前は、ピンＣ１３１は図示したように第３のカム穴１３の最上部（ダイＣ１４と反対側）且つ第４のカム穴１４の第１の水平部１４１の図示左側、即ち待機位置に位置している。この時パンチＣ１３の先端部Ｃ１３２は、穿孔可能な最大厚さの用紙の表面Ｐ１より上側に位置し、第２の穿孔ユニット２への用紙進入を容易にしている。
【０１２５】
前述の第１の穿孔ユニットに加えて、第４のカム穴１４に第１の水平部１４１を設けることによって、穿孔動作以前及び穿孔動作完了後には、第４のカム穴１４の第１の水平部１４１の図示左側、且つ第３のカム穴１３の最上部（ダイＣ１４と反対側）にピンＣ１３１を位置させることが可能となる。
【０１２６】
これにより、移動カム板の停止位置が外乱等により多少水平方向に変動したとしても、ピンＣ１３１の位置がずれない、即ちパンチが待機位置から外れるようなことがないようにしている。
【０１２７】
また、第４のカム穴１４に第２の水平部１４３を設け、第３のカム穴１３に第３の垂直部１３３を設けることによって、移動カム板２Ｂのｅ方向への移動終了時には、第２の水平部１４３の内部、且つ第３の垂直部１３３の内部にピンＣ１３１を位置させることが可能となる。
【０１２８】
これにより、移動カム板の停止位置が外乱等により水平方向に多少変動したとしても、ピンＣ１３１の位置がずれない、即ちパンチが最下端に下りた位置から外れるようなことがないようにしている。
【０１２９】
図６は、第２の実施形態の穿孔ユニットの動作説明図である。
【０１３０】
図６においてピンＣ１３１はパンチＣ１３の裏に隠れていて見えないが、図を見やすくするため実線で表している。
【０１３１】
図６（ａ）において、移動カム板２Ｂが矢印ｅ方向に移動することにより、第４のカム穴１４が矢印ｅ方向へ移動するが、ピンＣ１３１は第３のカム穴１３と第４のカム穴１４とにより規制され、下降もパンチ軸を中心に旋回もしない。これによりパンチＣ１３は待機位置に停止している。
【０１３２】
図６（ｂ）において、移動カム板２Ｂが更に矢印ｅ方向に移動することにより第４のカム穴１４が更に矢印ｅ方向へ移動し、ピンＣ１３１は第２の垂直部１３１と第４の傾斜部１４２とに規制されて下側に向けて付勢される。
【０１３３】
これにより、ピンＣ１３１は下降し、パンチＣ１３は下降する。
【０１３４】
この時、パンチの先端部Ｃ１３２は穿孔可能な最大厚さの用紙の表面Ｐ１に到達していない。
【０１３５】
図６（ｃ）おいて、移動カム板２Ｂが更に矢印ｅ方向に移動することにより第４のカム穴１４が更に矢印ｅ方向へ移動し、ピンＣ１３１は第３の傾斜部１４２と第２の傾斜部１３２とに規制されて斜め下側に向けて付勢開始される。
【０１３６】
これにより、ピンＣ１３１は下降すると共にパンチ軸を中心に旋回（矢印方向）開始し、パンチＣ１３は回転しながら下降開始する。
【０１３７】
なお、ピンＣ１３１が第３の傾斜部１４２と第２の傾斜部１３２とに規制され始めた時点ではパンチＣ１３の先端部Ｃ１３２は、ダイＣ１４の上面と所定の距離を隔て位置しており、穿孔可能な最大厚さの用紙の表面Ｐ１に到達していない。
【０１３８】
ピンＣ１３１が第２の垂直部１３１から第３の傾斜部１３２に進入した点から、所定の余裕距離例えば０．５ｍｍ程度下降後に、パンチＣ１３の先端部Ｃ１３２が穿孔可能な最大厚さの用紙の表面Ｐ１に到達する。
【０１３９】
そして、ピンＣ１３１は第３の傾斜部１４２と第２の傾斜部１３２とに規制され、パンチＣ１３を回転させながら下降させて用紙を穿孔させる。
【０１４０】
図６（ｄ）において、移動カム板２Ｂが更に矢印ｅ方向に移動することにより、第４のカム穴１４が更に矢印ｅ方向へ移動し、ピンＣ１３１は第２の水平部１４３と第３の垂直部１３３とに規制され下降も旋回もしない。
【０１４１】
これによりパンチＣ１３は下死点に到達し停止する。なお、この時はパンチ先端部が用紙Ｐとダイ５３とを貫通している。
【０１４２】
パンチＣ１３が用紙Ｐを穿孔後、上述した流れと逆に動作してパンチＣ１３は上昇し再び待機位置に戻る。
【０１４３】
以上説明したように、穿孔動作以前と以後の移動カム板の停止位置が多少変動したとしてもパンチを確実に待機位置又は穿孔終了位置に位置させることが可能な、穿孔音を軽減し、特にパンチ周辺の構造を簡素化した穿孔ユニットを構成することができる。
【０１４４】
以上説明したように、パンチを付勢するカムの傾斜部の略全域を用紙の穿孔に寄与させることにより安定して穿孔可能とし、且つ、騒音を出さない簡単な構造の穿孔ユニットの提供が可能となる。
【０１４５】
図７は、パンチとカム穴に関する詳細説明図である。
【０１４６】
図７（ａ）はパンチとピンとダイと用紙との関係を示す説明図で、図７（ｂ）はピンと固定カム穴との関係を示す説明図である。なお図７（ａ）は、図７（ｂ）に示すカム穴のＺ点（後述）にピンＣ１３１が位置している状態を示している。
【０１４７】
図７（ａ）において、パンチＣ１３の先端部分Ｃ１３２は円弧状に凹んだ逃げ部Ｃ１３３を有しており、逃げ部Ｃ１３３を有することにより先端部分Ｃ１３２のうちパンチの切っ先Ｃ１３４のみが用紙Ｐに突き当たり、切っ先１３４に矢印方向の付勢力ｆを集中できるようになっている。
【０１４８】
逃げ部Ｃ１３３の深さｄ１は後処理装置で使用する最も厚い用紙の厚さｄ２より大きな寸法となっている。
【０１４９】
又パンチＣ１３の直径は各国の規格に合うように、日本、欧州においては例えば６．５ｍｍ、米国においては例えば８．０ｍｍとなっている。
【０１５０】
逃げ部Ｃ１３３により付勢力ｆをパンチの切っ先Ｃ１３４に集中可能とし、また、切っ先１３４が回転しながら徐々に下降することにより、用紙Ｐを徐々に円を描くように切断するため付勢力ｆも少なくて済み、切断音が小さくて済む。
【０１５１】
図７（ａ）と（ｂ）において、固定カム板に穿たれたカム穴（例えば第１のカム穴１１、第３のカム穴１３、第５のカム穴１５、第７のカム穴１７）の垂直部（例えば第１の垂直部１１１、第２の垂直部１３１、第４の垂直部１７１）の中心と、傾斜部（例えば第１の傾斜部１１２、第３の傾斜部１３２、第５の傾斜部１７２）の中心との各交点Ｚから、ダイＣ１４の表面Ｃ１４１までの距離をそれぞれＬ１（Ｌ１１、Ｌ１２、Ｌ１３）とし〔図７（ｂ）〕、図７（ａ）のピンＣ１３１の中心からパンチの切っ先Ｃ１３４までの長さをＬ２とし、最も厚い用紙の厚さをｄ２とし、ピンＣ１３１が交点Ｚに位置するときのパンチの切っ先Ｃ１３４と最も厚い用紙の表面Ｐ１との間隙である余裕をｄ３とすると、
Ｌ１１＝Ｌ１２＝Ｌ１３＝Ｌ２＋ｄ２＋ｄ３
の関係になるように各部の寸法が設定されている。
【０１５２】
このため、移動カム板が移動し、固定カム板に穿たれたカム穴と移動カム板に穿たれたカム穴とに規制されてピンＣ１３１が交点Ｚに到達した時点では、切っ先Ｃ１３４はダイＣ１４の表面Ｃ１４１から、最も厚い用紙の厚さｄ２と余裕ｄ３とを加えた距離分離間している。
【０１５３】
即ちパンチの切っ先Ｃ１３４を最も厚い用紙の表面Ｐ１から余裕ｄ３だけ離間した位置に位置させることができる。
【０１５４】
これにより上述したように、例えば、ピンＣ１３１が例えば第３の傾斜部１４２と第２の傾斜部１３２とに規制され始めた時点ではパンチＣ１３の先端部Ｃ１３２を、ダイＣ１４の上面と所定の距離を隔て位置させ、結果として最も厚い用紙の表面より余裕ｄ３だけ離間した位置からパンチＣ１３を移動且つ回転開始させることが可能となる。
【０１５５】
即ち、ピンＣ１３１が交点Ｚに到達する以前はパンチを下降のみさせ、交点Ｚに到達した以降、ピンＣ１３１は固定カム板に穿たれたカム穴の傾斜部と移動カム板に穿たれたカム穴の傾斜部とに規制されて下降且つ旋回し、ピンＣ１３１が交点Ｚから垂直方向に余裕ｄ３だけ下降した位置で、パンチの切っ先Ｃ１３４が最も厚い用紙の表面Ｐ１に到達する。
【０１５６】
従って、パンチＣ１３はピンＣ１３１がＺ点に到達した時点では用紙Ｐを穿孔せず、垂直方向に余裕ｄ３だけ下降してから最大厚さの用紙を穿孔開始する。なお、厚さが最も厚い用紙の厚さｄ２より薄い用紙は、厚さの差分余分に下降してから用紙の穿孔を開始することができる。
【０１５７】
図８は、２個のパンチ穴を穿孔する穿孔装置の説明図である。
【０１５８】
後処理装置Ｃに搭載する穿孔装置Ｃ１のうち、２個のパンチ穴を穿孔する穿孔装置Ｃ１ａについて説明する。
【０１５９】
２個のパンチ穴を穿孔する穿孔装置Ｃ１ａは、前述した第１の穿孔ユニット１または第２の穿孔ユニット２のうちいずれか一方を備えている。以下の説明では前述の第２の穿孔ユニット２を備えた穿孔装置を例に挙げてする説明する。なお、第２の穿孔ユニット２の詳細な説明は省略する。
【０１６０】
なお、図５と６の第２の穿孔ユニット２についての図示と、図８の第２の穿孔ユニット２についての図示とは左右逆勝手となっているが同様な動作を行い用紙にパンチ穴を穿孔するものである。
【０１６１】
穿孔装置Ｃ１ａは２個のパンチＣ１３と、２個のパンチＣ１３を支持する１枚の固定カム板２Ａと、１枚の移動カム板２Ｂとを有している。
【０１６２】
支持部材Ｃ１５はＩＳＯ規格の２穴規格（８３８）に応じた位置（パンチ中心間隔８０ｍｍ）にそれぞれパンチＣ１３を有し、ダイＣ１４の当該位置にパンチＣ１３が嵌合する穴が空いている。そして、支持部材Ｃ１５の一部が固定カム板２Ａを形成し、固定カム板２Ａには２個の第３のカム穴１３が穿たれている。
【０１６３】
また支持部材Ｃ１５は、２個の第４のカム穴１４が穿たれた移動カム板２Ｂを矢印ｇ方向に移動可能に支持し、移動カム板２Ｂを矢印ｇ方向に移動するモータＣ１７を支持している。
【０１６４】
そして、移動カム板２Ａには所定距離隔てて２個の第４のカム穴が穿たれている。
【０１６５】
また、移動カム板２Ｂの端部にラックギヤＣ１８が取り付けられ、ラックギヤＣ１８はモータＣ１７の出力軸に設けられたピニオンギヤＣ１９と噛み合っている。そしてモータＣ１７の回動により移動カム板２Ｂは矢印ｇ方向に移動する。
【０１６６】
なお、モータＣ１７とピニオンギヤＣ１９とラックギヤＣ１８とが、移動カム板をパンチの軸と直交する方向に移動させる移動部を形成している。
【０１６７】
動作の概要について説明すると、モータＣ１７の正転により移動カム板２Ｂは矢印ｈ方向に移動する。そして、移動カム板２Ｂの矢印ｈ方向の移動により２箇所の第４のカム穴１４は矢印ｈ方向に移動する。
【０１６８】
そして、第３のカム穴１３と第４のカム穴１４とをそれぞれ貫通し、第３のカム穴１３と第４のカム穴１４とに規制されるピンＣ１３１は、移動カム板２Ｂの矢印ｈ方向の移動により先ず下降し、次いで下降と同時にパンチの軸を中心に旋回する。
【０１６９】
そしてパンチＣ１３は先ず下降し、それに続く下降と旋回により用紙を穿孔する。
【０１７０】
そして、穿孔後、モータＣ１７の逆転により移動カム板２Ｂを矢印ｉ方向に移動してパンチＣ１３を待機位置に戻す。
【０１７１】
以上、第２の穿孔ユニット２を備えた穿孔装置本体Ｃ１１について説明したが、第２の穿孔ユニット２に代えて前述の第１の穿孔ユニット１を備えても良いことは言うまでもない。
【０１７２】
以上説明したように、２個のパンチ穴を穿孔する穿孔装置において、パンチを付勢するカムの傾斜部の略全域を用紙の穿孔に寄与させることにより安定して穿孔可能とし、且つ、騒音を出さない簡単な構造の穿孔装置又、該穿孔装置を有する後処理装置の提供が可能となる。
【０１７３】
図９は、２個又は４個のパンチ穴を穿孔する穿孔装置の説明図である。
【０１７４】
後処理装置Ｃに搭載する穿孔装置Ｃ１のうち、２個又は４個のパンチ穴を穿孔する穿孔装置Ｃ１ｂについて説明する。
【０１７５】
２個又は４個のパンチ穴を穿孔する穿孔装置Ｃ１ｂは、パンチＣ１３を４個備えており、１つの固定カム板と１つの移動カム板とにそれぞれ４個のカム穴が穿たれている。
【０１７６】
そして、４個のパンチのうち、中央よりに２個又は４個のパンチ穴を穿孔する時に作動させるパンチが２個取り付けられ、その外側にそれぞれ４個のパンチ穴を穿孔する時に作動させるパンチが２個取り付けられている。
【０１７７】
以下、中央側の２組の穿孔ユニットを第３の穿孔ユニットと称し、外側の２組の穿孔ユニットを第４の穿孔ユニットと称する。
【０１７８】
支持部材Ｃ１５はＩＳＯ規格の４穴規格（８８８）に応じた位置（パンチ中心間隔８０ｍｍ×３箇所）にそれぞれ穿孔ユニットを有している。
【０１７９】
そして、支持部材Ｃ１５の一部が板状をした固定カム板３Ａを形成し、固定カム板３Ａには当該位置に４個のカム穴が穿たれている。又、ダイＣ１４の当該位置にパンチＣ１３が嵌合する穴が４個空いている。
【０１８０】
また、支持部材Ｃ１５は４個のカム穴が穿たれ板状をした移動カム板３Ｂを矢印ｇ方向に移動可能に支持しており、移動カム板３Ｂを矢印ｇ方向に移動するモータＣ１７を支持している。
【０１８１】
そして、移動カム板３Ｂの端部にラックギヤＣ１８が取り付けられ、ラックギヤＣ１８はモータＣ１７の出力軸に設けられたピニオンギヤＣ１９と噛み合っている。そしてモータＣ１７の回動により移動カム板２Ｂは矢印ｇ方向に移動する。
【０１８２】
第３の穿孔ユニット３用のカム穴である第６のカム穴１６が中央側に２箇所、第４の穿孔ユニット４用のカム穴である第５のカム穴１５が両端側に２箇所、穿たれている。
【０１８３】
移動カム板３Ｂには第３の穿孔ユニット３用のカム穴である第８のカム穴１８が中央側に２箇所、第４の穿孔ユニット４用のカム穴である第７のカム穴１７が両端側に２箇所、穿たれており、第７のカム穴１７の水平方向の全長と、第８のカム穴１８の水平方向の全長とは同じ長さとなっている。
【０１８４】
図は穿孔動作に入る前の待機状態を示している。
【０１８５】
２穴を穿孔する場合は、第７のカム穴１７の水平方向の全長の中央部１７１１と、第８のカム穴１８の水平方向の全長の中央部１８１１と、にそれぞれピンＣ１３１が位置している図示の状態（パンチの待機位置）から、移動カム板３Ｂを矢印ｉ方向に移動させて第３の穿孔ユニット３のみを作動させる。
【０１８６】
また、４穴を穿孔する場合は、第７のカム穴１７の中央部１７１１と、第８のカム穴１８の中央部１８１１と、にピンＣ１３１が位置している図示の状態（パンチの待機位置）から移動カム板３Ｂを矢印ｈ方向に移動させて第３の穿孔ユニット３と第４の穿孔ユニット４とを作動させる。
【０１８７】
なお、４個のパンチ穴のみを穿孔する他の形態として、４箇所の穿孔ユニットに対応するカム穴を前述した第４のカム穴１４と同じ構成とし、移動カム板３Ｂを移動させて４箇所のパンチを作動させるようにしても良いことは言うまでもない。
【０１８８】
図１０は、第３の穿孔ユニット３に係るカム穴の説明図で、図１１は、第４の穿孔ユニット４に係るカム穴の説明図である。
【０１８９】
以下に図９と図１０と図１１を参照して第３の穿孔ユニット３に係るカム穴と、第４の穿孔ユニット４に係るカム穴の構成を説明する。
【０１９０】
固定カム板３Ａには、両端部側に（図１１）、パンチＣ１３の軸と平行な方向に伸びる第４の垂直部１５１（第１の垂直部１１１に相当）と、第４の垂直部１５１のダイ側につながり斜め下方に伸びるパンチＣ１３の軸に対して所定の角度θを有する第５の傾斜部１５２（第２の傾斜部１１２に相当）と、第５の傾斜部１５２のダイ側につながりパンチの軸と平行な方向に伸びる第５の垂直部１５３と、を有する第５のカム穴１５が、４個のパンチＣ１３のうち外側に位置する２個のパンチＣ１３に対応する位置にそれぞれ穿たれている。
【０１９１】
そして、中央側に（図１０）、パンチＣ１３の軸と平行な方向に伸びる第６の垂直部１６１を有する第６のカム穴１６が、４個のパンチＣ１３のうち中央側に位置する２個のパンチＣ１３に対応する位置にそれぞれ穿たれている。
【０１９２】
移動カム板３Ｂには、両端部側に（図１１）、パンチＣ１３の軸と直交する方向に伸びる第３の水平部１７１と、第３の水平部１７１からダイ側に向いてつながりパンチＣ１３の軸に対して所定の角度θを有し第５の傾斜部１５２と反対側に向いた第６の傾斜部１７２（第２の傾斜部１２１に相当）と、第６の傾斜部１７２につながりパンチＣ１３の軸と直交する方向（第３の水平部１８１と反対側）に伸びる第４の水平部１７３と、を有する第７のカム穴１７が、所定の間隔を隔てて２箇所に穿たれている。
【０１９３】
そして、中央側に（図１０）、パンチＣ１３の軸と直交する方向に伸びる第５の水平部１８１と、第５の水平部１８１からダイと反対側に向いてつながりパンチＣ１３の軸に対して所定の角度θを有し第６の傾斜部１７２と反対側に向いた第７の傾斜部１８２（第２の傾斜部１２１に相当）と、第７の傾斜部１８２のダイと反対側につながりパンチＣ１３の軸と直交する方向（第５の水平部１８１と反対側）に伸びる第６の水平部１８３と、第６の水平部１８３からダイ側に向いてつながりパンチＣ１３の軸に対して所定の角度θを有し第７の傾斜部１８２と反対側に向いた第８の傾斜部１８２（第２の傾斜部１２１に相当）と、第８の傾斜部１８２のダイ側につながり前記パンチの軸と直交する方向（第５の水平部１８１と反対側）に伸びる第７の水平部１８５と、を有する第８のカム穴１８が、所定の間隔を隔てて２箇所に穿たれている。
【０１９４】
第８のカム穴１８は、第８のカム穴１８の水平方向の全長Ｌ３の中央部１８１１に対して左右対称な形状をしており、第６の水平部１８３は中央部１８１１に対して左右に伸びている。そして、第６の水平部１８３の中央部１８１１から図示左側端部までの距離と、中央部１８１１から図示右側端部までの距離とが同一となっている。
【０１９５】
４個のパンチＣ１３のうち、両端部側に位置する２個のパンチＣ１３は第５のカム穴１５と第７のカム穴１７とを貫通するピンＣ１３１を有し、中央側に位置する２個のパンチＣ１３は第６のカム穴１６と第８のカム穴１８とを貫通するピンＣ１３１を有している。
【０１９６】
そして、パンチＣ１３の軸と平行な方向において、第６の垂直部１６１のダイと反対側の端部と、第６の水平部１８３とが、同位置になっている。そして、第６の垂直部１６１のダイ側の端部と、第５の水平部１８１及び第７の水平部１８５が、同位置になっている。
【０１９７】
また、パンチＣ１３の軸と平行な方向において、第４の垂直部１５１のダイと反対側の端部と、第３の水平部１７１とが、同位置になっている。そして、第５の垂直部１５３のダイ側の端部と、第４の水平部１７３とが、同位置になっている。
【０１９８】
穿孔動作に入る以前と、用紙を穿孔した後の穿孔動作完了後とは、４個のピンＣ１３１はそれぞれ移動カム板３Ｂにより、２箇所の第８のカム穴１８の水平方向の全長Ｌ３の中央部１８１１に来るような位置（パンチの待機位置）で、また、２箇所の第７のカム穴１７の水平方向の全長Ｌ４の中央部１７１１に来るような位置（パンチの待機位置）で、停止している。
【０１９９】
なお、第８のカム穴１８の水平方向の全長Ｌ３と第７のカム穴１７の水平方向の全長Ｌ４とは同じ長さとなっている。
【０２００】
第７のカム穴１７に第３の水平部１７１と、第８のカム穴１８に第６の水平部１８３とを設けることによって、穿孔動作以前には、第３の水平部１７１と第６の水平部１８３との図示中央（１７１１、１８１１）、且つ第５のカム穴１５と第６のカム穴１６との最上部（ダイＣ１４と反対側）にピンＣ１３１を位置させることが可能となり、移動カム板２Ｂの停止位置が外乱により多少変動したとしても、或いは多少移動したとしても、ピンＣ１３１の位置がずれない、即ちパンチが待機位置から外れるようなことがないようにしている。
【０２０１】
また、第８のカム穴１８に第５の水平部１８１と、第７の水平部１８５とを設け、第６のカム穴１６に第６の垂直部１６１を設けることによって、穿孔動作終了時即ち移動カム板２Ｂの移動終了時には、第５の水平部１８１又は第７の水平部１８５の内部、且つ第６の垂直部１６１の内部にピンＣ１３１を位置させることが可能となる。
【０２０２】
また、第７のカム穴１７に第４の水平部１７３を設け、第５のカム穴１５に第５の垂直部１５３を設けることによって、穿孔動作終了時即ち移動カム板２Ｂの移動終了時には、第４の水平部１７３の内部、且つ第５の垂直部１５３の内部にピンＣ１３１を位置させることが可能となる。
【０２０３】
これ等により、移動カム板２Ｂの停止位置が外乱により多少変動したとしても、或いは多少移動したとしても、ピンＣ１３１の位置がずれない、即ちパンチが穿孔を終了した位置から外れるようなことがないようにしている。
【０２０４】
以下、図９、１０、１１を参照して穿孔ユニットＣ３の動作について説明する。
【０２０５】
移動カム板３Ｂの移動により、両端側に位置する２個のピンＣ１３１が第５のカム穴１５の第４の垂直部１５１と第７のカム穴１７の第６の傾斜部１７２とに規制されている間は両端側に位置する２個のピンＣ１３１がダイ側に向けて移動する。そして、中央側に位置する２個のピンＣ１３１が第６のカム穴１６の第６の垂直部１６１と第８のカム穴１８の第７の傾斜部１８２又は第８の傾斜部１８４とに規制されている間は中央側に位置する２個のピンＣ１３１がダイ側に向けて移動し、これらにより４個のパンチＣ１３はダイ側に移動する。
【０２０６】
また移動カム板３Ｂの更なる移動により、両端部側に位置する２個のピンＣ１３１が第５のカム穴１５の第５の傾斜部１５２と第７のカム穴１７の第６の傾斜部１７２とにより規制されている間は両端部側に位置する２個のピンＣ１３１が移動カム板３Ｂの移動により旋回しながらダイＣ１４に向けて移動する。そして、中央側に位置する２個のピンＣ１３１が第６のカム穴１６の第６の垂直部１６１と第８のカム穴１８の第７の傾斜部１８２又は第８の傾斜部１８４とにより規制されている間は、中央側に位置する２個のピンＣ１３１がダイＣ１４に向けて移動する。
【０２０７】
これらにより、４個のパンチＣ１３のうち両端側のパンチＣ１３は回転しながらダイ側に向けて移動し、中央側のパンチＣ１３はダイ側に向けて移動するようになっている。
【０２０８】
２個のパンチ穴を穿孔する場合について説明する。
【０２０９】
図９において、穿孔動作に入る以前は、移動カム板３Ｂは、各ピンＣ１３１が図示のように第７のカム穴１７の中央部１７１１と、第８のカム穴１８の中央部１８１１とに来るような位置で停止しており、各パンチＣ１３はそれぞれ待機位置で停止している。
【０２１０】
後処理制御部Ｄ２は通信手段Ｔ２で、画像形成装置Ｂの操作パネルＳＰで設定されたパンチ穴２個情報を受信すると、モータＣ１７を逆転させ、ピニオンギヤＣ１９とラックギヤＣ１８とを介して移動カム板３Ｂを矢印ｉ方向に移動させる。
【０２１１】
移動カム板３Ｂの矢印ｉ方向の移動により、移動カム板３Ｂに穿たれた各カム穴も矢印ｉ方向に移動する。
【０２１２】
第３の穿孔ユニット３について説明すると、移動カム板３Ｂが矢印ｉ方向に移動した時、中央側の２個のピンＣ１３１はそれぞれ第６のカム穴１６の第６の垂直部１６１に規制された状態で、相対的に第８のカム穴１８の第６の水平部１８３（矢印ｈ方向側）、第７の傾斜部１８２、第５の水平部１８１を順次移動する。
【０２１３】
このため、パンチＣ１３は下降し、下降しながら用紙を穿孔する。
【０２１４】
用紙を穿孔後、後処理制御部Ｄ２はモータＣ１７を正転させ、ピニオンギヤＣ１９とラックギヤＣ１８とを介して移動カム板３Ｂを矢印ｈ方向に移動させる。そして、各ピンＣ１３１が図示のように第７のカム穴１７の中央部１７１１と、第８のカム穴１８の中央部１８１１とに来るような位置まで移動させ、各パンチＣ１３をそれぞれ待機位置まで戻して停止する。
【０２１５】
第４の穿孔ユニット４について説明すると、移動カム板３Ｂが矢印ｉ方向に移動した時、ピンＣ１３１は第５のカム穴１５の第４の垂直部１５１に規制された状態で相対的に第７のカム穴１７の第３の水平部１７１（矢印ｈ方向側）を移動するため、下降しない。
【０２１６】
このため、パンチＣ１３は待機位置で停止している。
【０２１７】
以上説明したように、第３の穿孔ユニット３のみ、即ち中央側の２個のパンチのみを作動させて２個のパンチ穴を穿孔可能としている。
【０２１８】
次に４個のパンチ穴を穿孔する場合について説明する。
【０２１９】
図９において、穿孔動作に入る以前は、移動カム板３Ｂは、各ピンＣ１３１が図示のように第７のカム穴１７の中央部１７１１と、第８のカム穴１８の中央部１８１１とに来るような位置で停止しており、各パンチＣ１３はそれぞれ待機位置で停止している。
【０２２０】
後処理制御部Ｄ２は通信手段Ｔ２で、画像形成装置Ｂの操作パネルＳＰで設定されたパンチ穴４個情報を受信すると、モータＣ１７を正転させ、ピニオンギヤＣ１９とラックギヤＣ１８とを介して移動カム板３Ｂを矢印ｈ方向に移動させる。
【０２２１】
移動カム板３Ｂの矢印ｈ方向の移動により、移動カム板３Ｂに穿たれた各カム穴も矢印ｈ方向に移動する。
【０２２２】
両端部側に配置された第４の穿孔ユニット４について説明すると、移動カム板３Ｂが矢印ｈ方向に移動した時、ピンＣ１３１は第５のカム穴１５の第４の垂直部１５１、第５の傾斜部１５２、第５の垂直部１５３に順次規制されながら、相対的に第７のカム穴１７の第３の水平部１７１、第６の傾斜部１７２、第４の水平部１７３を順次移動する。
【０２２３】
このため、パンチＣ１３は下降し、次いで下降しながら回転する。そして下降しながら回転する間に用紙を穿孔する。
【０２２４】
中央側に配置された第３の穿孔ユニット３について説明すると、移動カム板３Ｂが矢印ｈ方向に移動した時、ピンＣ１３１は第６のカム穴１６の第６の垂直部１６１に規制された状態で、相対的に第８のカム穴１８の第６の水平部１８３（矢印ｉ方向側）、第８の傾斜部１８４、第７の水平部１８５を順次移動する。
【０２２５】
このため、パンチＣ１３は下降しながら用紙を穿孔する。
【０２２６】
用紙を穿孔後、後処理制御部Ｄ２はモータＣ１７を逆転させ、ピニオンギヤＣ１９とラックギヤＣ１８とを介して移動カム板３Ｂを矢印ｉ方向に移動させる。そして、各ピンＣ１３１が図示のように第７のカム穴１７の中央部１７１１と、第８のカム穴１８の中央部１８１１とに来るような位置まで移動させ停止させる。これにより各パンチＣ１３はそれぞれ待機位置まで戻って停止する。
【０２２７】
そして、第３の穿孔ユニット３と第４の穿孔ユニット４とを作動させて４個のパンチ穴を穿孔可能としている。
【０２２８】
以上説明したように、２個又は４個のパンチ穴を穿孔する穿孔装置において、パンチを付勢するカムの傾斜部の略全域を用紙の穿孔に寄与させることにより安定して穿孔可能とし、且つ、騒音を出さない簡単な構造の穿孔装置又、該穿孔装置を有する後処理装置の提供が可能となる。
【０２２９】
また、制御部により移動カム板の移動方向を変えるのみで、２個のパンチ穴の穿孔処理と、４個のパンチ穴の穿孔処理とを容易に切り替え可能とした穿孔装置又、該穿孔装置を有する後処理装置の提供が可能となる。
【符号の説明】
【０２３０】
１１  第１のカム穴
１２  第２のカム穴
１３  第３のカム穴
１４  第４のカム穴
１１１  第１の垂直部
１１２  第１の傾斜部
１２１  第２の傾斜部
１３１  第２の垂直部
１３２  第３の傾斜部
１３３  第３の垂直部
１４１  第１の水平部
１４２  第４の傾斜部
１４３  第２の水平部
１Ａ、２Ａ、３Ａ  固定カム板
１Ｂ、２Ｂ、３Ｂ  移動カム板
Ｃ  後処理装置
Ｃ１、Ｃ１ａ、Ｃ１ｂ  穿孔装置
Ｃ１１  穿孔装置本体
Ｃ１３  パンチ
Ｃ１４  ダイ
Ｃ１５  支持部材
Ｃ１３１  ピン
【図１】
0005614136.tif 000002
【図２】
0005614136.tif 000003
【図３】
0005614136.tif 000004
【図４】
0005614136.tif 000005
【図５】
0005614136.tif 000006
【図６】
0005614136.tif 000007
【図７】
0005614136.tif 000008
【図８】
0005614136.tif 000009
【図９】
0005614136.tif 000010
【図１０】
0005614136.tif 000011
【図１１】
0005614136.tif 000012